(57)【要約】【課題】円滑な増毛の施術を実施することができる増毛用補助具および理美容椅子を提供する。【解決手段】増毛用補助具２０は、理美容椅子３における背もたれ１３の背面部１４に接続された接続部２１と、この接続部２１から伸びた支持本体部２５と、この支持本体部２５の先に備えられた毛材支持部２６とを有し、毛材支持部２６が被施術者の頭部近傍に配置される。増毛用補助具２０は、接続部２１の軸部を軸として回転することで、毛材支持部２６が、被施術者の頭部を中心として、この頭部からほぼ等間隔を空けて旋回が可能である。【選択図】図２
0003233431.tif 000002
【実用新案登録請求の範囲】
【請求項１】
椅子に着脱される接続部と、
前記接続部から伸びた先に備えられると共に、椅子に着座した被施術者の頭部近傍に配置され、被施術者に装着される毛材が支持される毛材支持部と、を有する、
ことを特徴とする増毛用補助具。
【請求項２】
前記毛材支持部が、被施術者の頭部を中心として、この頭部からほぼ等間隔を空けて旋回自在である、
ことを特徴とする請求項１に記載された増毛用補助具。
【請求項３】
前記接続部の回転軸が、被施術者の頭部を通ってほぼ垂直である、
ことを特徴とする請求項１または請求項２に記載された増毛用補助具。
【請求項４】
椅子の背もたれの背面部に着脱される、
ことを特徴とする請求項１から請求項３のいずれか１項に記載された増毛用補助具。
【請求項５】
前記毛材支持部が、予め前記毛材が取り付けられた長手の芯材を、ほぼ水平に支持する、
ことを特徴とする請求項１から請求項４のいずれか１項に記載された増毛用補助具。
【請求項６】
椅子の背もたれの背面部に、前記接続部の回転軸を構成する被着脱部が備えられ、この被着脱部を介して着脱される増毛用補助具であって、
前記被着脱部に着脱される基側着脱部と、
前記基側着脱部が一端に備えられ、前記接続部の回転軸から離れる方向に伸びた他端に前記毛材支持部が備えられた支持本体部と、を有する、
ことを特徴とする請求項１から請求項５のいずれか１項に記載された増毛用補助具。
【請求項７】
請求項１から請求項６に記載された増毛用補助具が備えられた、
ことを特徴とする理美容椅子。
【考案の詳細な説明】
【技術分野】
【０００１】
本考案は、理美容施設などで用いられる増毛用補助具および理美容椅子に関するものである。
【背景技術】
【０００２】
従来、理美容施設などでは、加齢や病気に伴う薄毛への対策、ファッションなどを目的として、毛髪にボリュームを現す手段として、増毛施術が行われ、その際に用いられる毛材を保持するものとして、例えば、下記特許文献１に記載された増毛用補助器具がある。この増毛用補助器具は、ほぼ扇状の一枚のシートを折り曲げることで、四角錐や円錐状に形成されており、上部が開口されている。増毛用補助器具の内側の面は、毛材が貼り付けられる保持手段が取り付けられ、この保持手段に貼り付けられた毛材が、開口を通って増毛用補助器具の外側に配置される。
【先行技術文献】
【特許文献】
【０００３】
【特許文献１】登録実用新案第３２０９２９６号公報
【考案の概要】
【考案が解決しようとする課題】
【０００４】
しかし、上記した増毛用補助器具は、毛材を取り出しやすくすることができるものの、結局のところどこかに設置されるものである。したがって、施術者が、被施術者に毛材を装着する作業は、依然として変わらない。すなわち、被施術者の頭部や施術者に対する毛材の配置は、施術に大きく影響するため、増毛用補助器具を適切な場所に設置する必要がある。例えば、増毛用補助器具をワゴンに載せて被施術者の周囲に配置させることが一般的であると考えられるが、必ずしも施術が円滑であるとは限らない。
【０００５】
本考案は、上記の実情に鑑みて提案されたものである。すなわち、円滑な増毛の施術を実施することができる増毛用補助具および理美容椅子の提供を目的とする。
【課題を解決するための手段】
【０００６】
上記目的を達成するために、本考案に係る増毛用補助具は、椅子に着脱される接続部と、前記接続部から伸びた先に備えられると共に、椅子に着座した被施術者の頭部近傍に配置され、被施術者に装着される毛材が支持される毛材支持部と、を有する、ことを特徴とする。
【０００７】
本考案に係る増毛用補助具は、前記毛材支持部が、被施術者の頭部を中心として、この頭部からほぼ等間隔を空けて旋回自在である、ことを特徴とする。
【０００８】
本考案に係る増毛用補助具は、前記接続部の回転軸が、被施術者の頭部を通ってほぼ垂直である、ことを特徴とする。
【０００９】
本考案に係る増毛用補助具は、椅子の背もたれの背面部に着脱される、ことを特徴とする。
【００１０】
本考案に係る増毛用補助具は、前記毛材支持部が、予め前記毛材が取り付けられた長手の芯材を、ほぼ水平に支持する、ことを特徴とする。
【００１１】
本考案に係る増毛用補助具は、椅子の背もたれの背面部に、前記接続部の回転軸を構成する被着脱部が備えられ、この被着脱部を介して着脱される増毛用補助具であって、前記被着脱部に着脱される基側着脱部と、前記基側着脱部が一端に備えられ、前記接続部の回転軸から離れる方向に伸びた他端に前記毛材支持部が備えられた支持本体部と、を有する、ことを特徴とする。
【００１２】
本考案に係る理美容椅子は、上記した増毛用補助具が備えられたことを特徴とする。
【考案の効果】
【００１３】
本考案に係る増毛用補助具は、椅子に着脱される接続部と、接続部から伸びた先に備えられると共に、椅子に着座した被施術者の頭部近傍に配置され、被施術者に装着される毛材が支持される毛材支持部とを有している。すなわち、増毛用補助具は、椅子に接続され、毛材支持部が被施術者の頭部近傍に配置される。そのため、施術において適切な場所に毛材が配置される。したがって、円滑な増毛の施術を実施することができる。また、増毛用補助具が取り外された椅子は、通常の椅子として用いられる。
【００１４】
本考案に係る増毛用補助具は、毛材支持部が、被施術者の頭部を中心として、この頭部からほぼ等間隔を空けて旋回自在である。すなわち、毛材支持部が旋回するため、施術部位に応じて毛材支持部を適切な位置に移動させることができる。また、旋回した場合であっても、毛材支持部が、常に被施術者の頭部の周囲に配置され、かつ、頭部から毛材支持部までの間隔が、ほぼ一定に保たれている。施術者は、毛材支持部に取り付けられた芯材から毛材を外し、この毛材を頭部に装着する作業を、毛材支持部と頭部との間において、定まったスペースで繰り返すことができる。したがって、円滑な増毛の施術を実施することができ、斑のない適切な増毛が実現する。
【００１５】
本考案に係る増毛用補助具は、接続部の回転軸が、被施術者の頭部を通ってほぼ垂直である。この構成により、毛材支持部が、頭部を中心として、頭部からの間隔がほぼ一定の位置において水平に旋回する。施術者は、毛材支持部と頭部との間において、定まったスペースで作業を繰り返すことができる。したがって、円滑な増毛の施術を実施することができ、斑のない適切な増毛が実現する。
【００１６】
本考案に係る増毛用補助具は、椅子の背もたれの背面部に着脱される。したがって、椅子における他の位置と比較して、施術者による施術の妨げにならない。また、着脱が容易である。なお、仮に、増毛用補助具が背もたれよりも下方に着脱される構成であった場合、施術者が低い姿勢で増毛用補助具を着脱する必要があるため、着脱が困難である。また、増毛用補助具が背もたれよりも上方に着脱される構成であった場合、毛材支持部と被施術者の頭部との間隔を適切に保つことができない。
【００１７】
本考案に係る増毛用補助具は、毛材支持部が、予め毛材が取り付けられた長手の芯材を、ほぼ水平に支持するものである。この構成により、毛材が芯材の長手方向に並べられた状態が維持される。そのため、毛材同士が絡まることや、偏ることがない。したがって、円滑な増毛の施術を実施することができ、斑のない適切な増毛が実現する。
【００１８】
本考案に係る増毛用補助具は、椅子の背もたれの背面部に、接続部の回転軸を構成する被着脱部が備えられ、この被着脱部を介して着脱される増毛用補助具であって、被着脱部に着脱される基側着脱部と、基側着脱部が一端に備えられ、接続部の回転軸から離れる方向に伸びた他端に毛材支持部が備えられた支持本体部と、を有している。したがって、円滑な増毛の施術を実施することができ、斑のない適切な増毛が実現する。
【００１９】
本考案に係る理美容椅子は、上記した増毛用補助具が備えられている。したがって、上記した増毛用補助具と同一の効果を実現することができる。また、増毛用補助具が外された理美容椅子は、通常の理美容椅子として用いられる。
【図面の簡単な説明】
【００２０】
【図１】図１は、本考案の第一実施形態に係る増毛用補助具が取り付けられた理美容椅子の背面斜視図である。
【図２】図２は、本考案の第一実施形態に係る増毛用補助具の使用状態が示された理美容椅子の背面斜視図である。
【図３】図３は、本考案の第一実施形態に係る増毛用補助具が取り付けられた理美容椅子の部分断面図である。
【図４】図４は、本考案の第一実施形態に係る増毛用補助具が取り付けられた理美容椅子の平面図である。
【図５】図５は、本考案の第二実施形態に係る増毛用補助具が取り付けられた理美容椅子の背面斜視図である。
【図６】図６は、本考案の第二実施形態に係る増毛用補助具が取り付けられた理美容椅子の部分断面図である。
【考案を実施するための形態】
【００２１】
以下に、本考案の実施形態に係る増毛用補助具を図面に基づいて説明する。図１は、第一実施形態に係る増毛用補助具２０が取り付けられた理美容椅子３の外観が示され、図２は、増毛用補助具２０の使用状態が示され、図３は、増毛用補助具２０が取り付けられた理美容椅子３の部分断面が示され、図４は、増毛用補助具２０が取り付けられた理美容椅子３を平面から視した図であって、増毛用補助具２０の動作状態が示されている。
【００２２】
図１および図２に示されているとおり、増毛用補助具２０は、理美容椅子３の背もたれ１３における背面部１４の下端部に着脱されるものであり、毛材１が予め取り付けられた棒状の芯材２を支持することで、毛材１を所定の位置に配置することができるものである。毛材１は、毛髪に結び付けられるリング状の結び部に複数の毛束が取り付けられたものであり、芯材２に結び部が通されている。芯材２から取り外された毛材は、施術者（図示省略）によって、理美容椅子３に着座した被施術者の自毛に装着される。
【００２３】
理美容椅子３は、設置面に自立する脚本体部４と、この脚本体部４の上端に接続されたフレーム７と、このフレーム７に連結されたフットレスト８、座部９、手すり１０、ランバーサポート１１および支柱部１２と、この支柱部１２に接続された背もたれ１３と、この背もたれ１３に着脱可能であるヘッドレスト１５とを有している。
【００２４】
図１および図３に示されているとり、脚本体部４は、昇降装置５が内蔵され、この昇降装置５を操作するためのペダル６を有している。昇降装置５は、例えば油圧式、空圧式のピストンシリンダなどである。フレーム７は、座部９とランバーサポート１１とを連動させる連動機構（図示省略）と、背もたれ１３を倒す可動機構（図示省略）とを有している。座部９は、フレーム７に対して前後方向４０にスライドし、ランバーサポート１１は、連動機構を介して座部９に連動して上下方向４１にスライドする。具体的には、ランバーサポート１１は、座部９と背もたれ１３とのほぼ中間に配置されるように座部９に連動する。すなわち、座部９が前方にスライドすれば、ランバーサポート１１は座部９に追随して座部９と背もたれ１３とのほぼ中間の位置にスライドする。背もたれ１３は、レバー１６が操作されることで可動機構を介して倒れる。ヘッドレスト１５は、背もたれ１３に対して角度が変化する。
【００２５】
背もたれ１３は、背面部１４に増毛用補助具２０が着脱される。詳説すれば、増毛用補助具２０は、背面部１４に接続された接続部２１と、この接続部２１から伸びた支持本体部２５と、この支持本体部２５の先に備えられた毛材支持部２６とを有している。接続部２１は、背面部１４に接続されて接続部２１の回転軸Ｘを構成する被着脱部２２と、この被着脱部２２に着脱される基側着脱部２４とから構成されている。
【００２６】
被着脱部２２は、棒状であり、回転軸Ｘに対してほぼ直角な状態で一方の端が軸部２３を介して背面部１４に連結されている。被着脱部２２は、軸部２３を軸として、ほぼ水平な状態で回転する。被着脱部２２の他方の端は、基側着脱部２４が取り付けられている。基側着脱部２４は、例えばクリップであり、被着脱部２２を把持する構造である。支持本体部２５は、屈曲した細い棒状であり、基側着脱部２４が下端に備えられ、被着脱部２２の回転軸Ｘから離れる方向に伸びた先の上端に、毛材支持部２６が備えられている。すなわち、支持本体部２５は、基側着脱部２４からほぼ垂直に立ち上がった本体基側部２８と、この本体基側部２８からなだらかに屈曲して被着脱部２２の回転軸Ｘから離れる方向に伸びた本体傾斜部２９と、この本体傾斜部２９からなだらかに屈曲して上方に向けられて毛材支持部２６に接続された本体支持側部３０とを有している。毛材支持部２６は、例えばクリップであり、ヘッドレスト１５（被施術者の頭部）近傍に配置されて毛材１の芯材２をほぼ水平に把持する構造である（図２参照）。
【００２７】
なお、接続部２１は、被着脱部２２と基側着脱部２４とが一体で構成されたものであってもよい。
【００２８】
図３に示されているとおり、被着脱部２２が、回転軸Ｘに対してほぼ直角であり、増毛用補助具２０の回転軸Ｘである被着脱部２２の軸部２３は、ヘッドレスト１５（または被施術者の頭部）を通って、地面に対してほぼ垂直である。したがって、図４に示されているとおり、増毛用補助具２０は、軸部２３を軸として回転することで、毛材支持部２６が、ヘッドレスト１５（被施術者の頭部）を中心として、この頭部からほぼ等間隔を空けて旋回する。回転軸Ｘと毛材支持部２６との間隔は、約３０センチメートルから４０センチメートルである。
【００２９】
以上のとおり、増毛用補助具２０が構成されている。次に、増毛用補助具２０の効果を説明する。
【００３０】
上記したとおり、増毛用補助具２０は、背もたれ１３の背面部１４に接続された被着脱部２２に着脱される基側着脱部２４と、この基側着脱部２４から伸びた支持本体部２５と、この支持本体部２５の先に備えられた毛材支持部２６とを有している（図１参照）。すなわち、増毛用補助具２０は、背面部１４に接続され、毛材支持部２６がヘッドレスト１５（被施術者の頭部）近傍に配置される。そのため、施術において適切な場所に毛材１が配置される（図２参照）。したがって、円滑な増毛の施術を実施することができる。
【００３１】
増毛用補助具２０は、被着脱部２２が回転軸Ｘに対してほぼ直角であり、増毛用補助具２０の回転軸Ｘである被着脱部２２の軸部２３は、ヘッドレスト１５（被施術者の頭部）を通って、地面に対してほぼ垂直である（図３参照）。したがって、増毛用補助具２０は、軸部２３を軸として回転軸Ｘで回転することで、毛材支持部２６が、ヘッドレスト１５（被施術者の頭部）を中心として、このヘッドレスト１５（被施術者の頭部）からほぼ等間隔を空けて旋回する（図４参照）。すなわち、毛材支持部２６が旋回するため、施術部位に応じて毛材支持部２６を適切な位置に移動させることができる。また、旋回した場合であっても、毛材支持部２６が、常にヘッドレスト１５（被施術者の頭部）の周囲に配置され、かつ、ヘッドレスト１５（被施術者の頭部）から毛材支持部２６までの間隔が、ほぼ一定に保たれている。施術者は、毛材支持部２６から毛材１を外し、この毛材１を頭部に装着する作業を、毛材支持部２６と頭部との間において、定まったスペースで繰り返すことができる。したがって、円滑な増毛の施術を実施することができ、斑のない適切な増毛が実現する。
【００３２】
増毛用補助具２０は、理美容椅子３の背もたれ１３における背面部１４の下端部に着脱される（図１参照）。したがって、理美容椅子３における他の位置に増毛用補助具２０が着脱される場合と比較して、施術者による施術の妨げにならない。また、施術者が直立したまま着脱することができるため、着脱が容易である。
【００３３】
増毛用補助具２０の毛材支持部２６は、例えばクリップであり、ヘッドレスト１５（被施術者の頭部）近傍に配置されて毛材１の芯材２をほぼ水平に把持する構造である（図２参照）。この構成により、毛材１が芯材２の長手方向に並べられた状態が維持される。そのため、毛材１同士が絡まることや、偏ることがない。したがって、円滑な増毛の施術を実施することができ、斑のない適切な増毛が実現する。
【００３４】
理美容椅子３は、増毛用補助具２０が着脱される。したがって、上記した増毛用補助具２０と同一の効果を実現することができる。また、増毛用補助具２０が外された理美容椅子３は、通常の理美容椅子として用いられる。
【００３５】
理美容椅子３では、座部９が、フレーム７に対して前後方向４０にスライドし、ランバーサポート１１が、連動機構を介して座部９に連動して上下方向４１にスライドし、このことによって、ランバーサポート１１が座部９と背もたれ１３とのほぼ中間に配置される。すなわち、被施術者が座部９をスライドさせ、ヘッドレスト１５に頭部を載せることで、楽な姿勢で施術を受けることができる。また、背もたれ１３と座部９との間隔が変化するため、被施術者ごとに異なる座高に対応することができる。また、背もたれ１３に対するヘッドレスト１５の角度が変化して被施術者の前頭部が上向きとなることで、施術者が背もたれ１３の背面側から施術を実施することができる。一方で、ヘッドレスト１５が外された理美容椅子３であっても、増毛用補助具２０と同一の効果を実現することができるし、通常の理美容椅子としても用いられる。
【００３６】
なお、仮に背もたれ１３に対してほぼ真っすぐなヘッドレスト１５であった場合、特に前髪の施術において、施術者は被施術者の正面から施術を実施することとなり、施術者に負担がかかる場合がある。また、仮にヘッドレスト１５を取り付けることができない理美容椅子であった場合、被施術者は頭部を載せる場所がなく、施術時間中において一定の姿勢を維持する必要があり、被施術者に負担がかかる場合がある。
【００３７】
次に、本考案の第二実施形態に係る増毛用補助具を図面に基づいて説明する。図５は、第二実施形態に係る増毛用補助具１２０が取り付けられた理美容椅子３の外観が示され、図６は、増毛用補助具１２０が取り付けられた理美容椅子３の部分断面が示されている。なお、以下では、主に第一実施形態に係る増毛用補助具２０および理美容椅子３と異なる構成が説明され、同様の構成の説明は同一の符号をもって省略されている。
【００３８】
図５および図６に示されているとおり、増毛用補助具１２０は、増毛用補助具２０と比較して、特に接続部１２１の構成が異なる。接続部１２１の被着脱部１２２は、背面部１４に連結された第一板部１３１と、この第一板部１３１から下方に伸びた第二板部１３２と、背面部１４から離れる方向に向けて第二板部１３２の下端からほぼ直角に伸びた第三板部１３３と、この第三板部１３３の上面に固定された筒状の軸部１２３とを有している。接続部１２１の基側着脱部１２４は、支持本体部１２５の下部である本体基側部１２８を構成している。すなわち、支持本体部１２５は、基側着脱部１２４である本体基側部１２８と、この本体基側部１２８から屈曲して被着脱部１２２の回転軸Ｘから離れる方向に伸びた本体傾斜部１２９と、この本体傾斜部１２９から屈曲して上方に向けられて毛材支持部２６に接続された本体支持側部１３０とを有している。
【００３９】
支持本体部１２５の本体基側部１２８は、被着脱部１２２の軸部１２３に挿入され、増毛用補助具１２０は、回転軸Ｘを軸として回転する。なお、他の構成は、増毛用補助具２０と同様である。
【００４０】
上記した増毛用補助具１２０は、増毛用補助具２０と同一の効果を奏する。
【００４１】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００４２】
１            毛材
２            芯材
３            理美容椅子
４            脚本体部
５            昇降装置
６            ペダル
７            フレーム
８            フットレスト
９            座部
１０          手すり
１１          ランバーサポート
１２          支柱部
１３          背もたれ
１４          背面部
１５          ヘッドレスト
１６          レバー
２０，１２０  増毛用補助具
２１，１２１  接続部
２２，１２２  被着脱部
２３，１２３  軸部
２４，１２４  基側着脱部
２５，１２５  支持本体部
２６          毛材支持部
２８，１２８  本体基側部
２９，１２９  本体傾斜部
３０，１３０  本体支持側部
４０          前後方向
４１          上下方向
１３１        第一板部
１３２        第二板部
１３３        第三板部
Ｘ            回転軸
【図１】
0003233431.tif 000003
【図２】
0003233431.tif 000004
【図３】
0003233431.tif 000005
【図４】
0003233431.tif 000006
【図５】
0003233431.tif 000007
【図６】
0003233431.tif 000008
【手続補正書】
【提出日】令和3年6月14日(2021.6.14)
【手続補正１】
【補正対象書類名】実用新案登録請求の範囲
【補正対象項目名】全文
【補正方法】変更
【補正の内容】
【実用新案登録請求の範囲】
【請求項１】
椅子に着脱される接続部と、
前記接続部から伸びた先に備えられると共に、椅子に着座した被施術者の頭部近傍に配置され、被施術者に装着される毛材が支持される毛材支持部と、を有する、
ことを特徴とする増毛用補助具。
【請求項２】
前記毛材支持部が、被施術者の頭部を中心として、この頭部からほぼ等間隔を空けて旋回自在である、
ことを特徴とする請求項１に記載された増毛用補助具。
【請求項３】
前記接続部の回転軸が、被施術者の頭部を通ってほぼ垂直である、
ことを特徴とする請求項１または請求項２に記載された増毛用補助具。
【請求項４】
椅子の背もたれの背面部に着脱される、
ことを特徴とする請求項１から請求項３のいずれか１項に記載された増毛用補助具。
【請求項５】
前記毛材支持部が、予め前記毛材が取り付けられた長手の芯材を、ほぼ水平に支持する、
ことを特徴とする請求項１から請求項４のいずれか１項に記載された増毛用補助具。
【請求項６】
椅子の背もたれの背面部に、前記接続部の回転軸を構成する被着脱部が備えられ、この被着脱部を介して着脱される増毛用補助具であって、
前記被着脱部に着脱される基側着脱部と、
前記基側着脱部が一端に備えられ、前記接続部の回転軸から離れる方向に伸びた他端に前記毛材支持部が備えられた支持本体部と、を有する、
ことを特徴とする請求項１から請求項５のいずれか１項に記載された増毛用補助具。
【請求項７】
請求項１から請求項６のいずれか一項に記載された増毛用補助具が備えられた、
ことを特徴とする理美容椅子。